(57)【要約】  【課題】  複数のＡＶ機器１ａ，１ｂ，１ｃ，１ｄの映像、音声をエンコーダ２ａ，２ｂ，２ｃ，２ｄによってエンコードして、例えば用途の異なる複数のエレベータの表示器１１ａ，１１ｂ、スピーカ１２ａ，１２ｂに配信する装置において、ＬＡＮなどの１つの通信網を構築するだけで対応できるようにする。  【解決手段】  １つのＬＡＮに、マルチキャスト方式で配信された前記複数の映像および音声の情報のいずれかを選択して前記各表示器、スピーカに流す表示コントローラ１３ａ，１３ｂと、前記エンコーダのデータの送信先を指定する管理用コンピュータ４とを接続し、表示コントローラ１３ａ，１３ｂは、ブロードキャスト方式で配信されている場合はその映像と音声をデコードし、マルチキャスト方式で配信されている場合は該映像と音声のいずれかを選択し、エレベータコントローラ１４からのエレベータの情報と合成して表示し、音声を流す。  【選択図】  図１
2005119842.tif 000002
【特許請求の範囲】
【請求項１】
１つの通信網に接続され、映像および音声の情報をデジタルデータ化するエンコーダと、
単数又は複数のエレベータ装置内に設けられた複数の表示・音響手段と、
前記通信網に接続され、デコード機能を有し、ブロードキャスト方式で配信された前記映像および音声の情報を前記各表示・音響手段に表示し、音声出力させるコントローラと、
前記通信網に接続され、前記エンコーダのデータの送信先を指定する管理用コンピュータとを備えたことを特徴とするエレベータの映像音声配信装置。
【請求項２】
１つの通信網に接続され、複数の映像および音声の情報をデジタルデータ化するエンコーダと、
単数又は複数のエレベータ装置内に設けられた複数の表示・音響手段と、
前記通信網に接続され、デコード機能を有し、マルチキャスト方式で配信された前記複数の映像および音声の情報のいずれかを選択して前記各表示・音響手段に表示し、音声出力させるコントローラと、
前記通信網に接続され、前記エンコーダのデータの送信先を指定する管理用コンピュータとを備えたことを特徴とするエレベータの映像音声配信装置。
【請求項３】
前記コントローラは、前記映像および音声の情報と、エレベータ情報とを合成して前記各表示・音響手段に表示し、音声出力させることを特徴とする請求項１又は２に記載のエレベータの映像音声配信装置。
【請求項４】
前記複数の表示・音響手段は、ダブルデッキエレベータの上かごおよび下かごに各々設けられていることを特徴とする請求項１又は２又は３に記載のエレベータの映像音声配信装置。
【請求項５】
前記管理用コンピュータは前記エンコーダのデータのスケジュールデータを前記コントローラに送信し、
前記コントローラは、前記スケジュールデータで指定された時間に沿って前記エンコーダの映像および音声の情報を前記各表示・音響手段に表示し、音声出力させることを特徴とする請求項１又は２又は３又は４に記載のエレベータの映像音声配信装置。
【発明の詳細な説明】
【技術分野】
【０００１】
本発明は、ＬＡＮ（ローカルエリアネットワーク）などの通信網を介して、エレベータの乗りかごに設置した表示装置、音響装置に、ブロードキャスト方式／マルチキャスト方式により映像および音声を配信するエレベータの映像音声配信装置に関する。
【背景技術】
【０００２】
従来、エレベータの乗りかご内では、走行方向、階床番号、次の停止階等の各種エレベータ情報を音声によりアナウンスしたり表示装置により表示したりする他に、例えばバックグラウンドとしての音楽（以下、バックグラウンドミュージックと称する）の放送や映像の表示を行っていた。
【０００３】
前記映像および音声の情報を、例えば多目的のビルにある用途別エレベータに別々に又は同時に配信するには、多数のアナログ信号線で配信していた。また、表示コントローラの制御は、デジタル信号線（ローカルエリアネットワーク）で管理用ホストコンピュータにより管理・運営の制御をしていた。
【０００４】
尚、ローカルエリアネットワーク（以下ＬＡＮと称することもある）を用いたエレベータの映像音声配信システムの一例としては、下記特許文献１に記載のものが提案されている。
【特許文献１】特開２００２−３７５５５号公報
【発明の開示】
【発明が解決しようとする課題】
【０００５】
前記アナログ信号線を用いて映像、音声を配信する方式において、複数の映像と音声を同時に送るには、アナログ信号線がその数だけ必要になっていた。そのため、配線が多くなる、アナログ信号の減衰の調整が必要となるなどの問題があった。
【０００６】
すなわち例えば、同軸線で映像信号を送る場合、周波数の高い成分の信号の減衰が大きく、それを補正するために補正器を必要とする。また、同軸線の長さにより減衰が違うためにそれぞれの補正器について調整が必要であった。
【０００７】
全体的にもレベルが下がるために正規の信号レベルまで増幅することも必要であった。また、外来からのノイズが入り映像が乱れることがあり、このノイズ対策のためのビデオトランスを入れる場所が現場ごとに異なっていたりするため、現場でのカットアンドトライ的な対策が必要であった。
【０００８】
また映像、音声をエンコーダによってエンコード（デジタルデータ化）し、ＬＡＮを用いて映像、音声を配信する場合、通常、コンピュータ間ＬＡＮの信号では、ＴＣＰ／ＩＰ、ＵＤＰ／ＩＰの方式を用いて、１対１の配信をする。つまり、１つのコンピュータから複数のコンピュータにデータを送信する場合、１つのコンピュータは、Ａというコンピュータにデータパケットを送り終わってから、Ｂというコンピュータに送り、その後Ｃというコンピュータに送り、…また次のデータパケットをＡのコンピュータに送り、…という具合に送っている。
【０００９】
この技術のままＬＡＮ配信をすると、エレベータの表示装置が多くなればエンコーダからの配信時間が長くなり、ＬＡＮのトラフィック（通信量）が大きくなるため、ＬＡＮ自体が破綻をきたす。または、高額な高速ＬＡＮを使用しなくてはならなくなる。
【００１０】
そこで、ブロードキャスト配信をすることにより、１度に１対多数（ブロードキャストが届く範囲）の配信が可能となり、１０ＢＡＳＥ（伝送速度１０ＭｂｐｓのＬＡＮ方式）クラスのＬＡＮで構築できるため、機器コストを低減することができる。尚前記エンコーダは、ブロードキャスト配信に対応させ、また表示装置もブロードキャストに対応させる必要がある。
【００１１】
しかし、ブロードキャストはＬＡＮを構築しているセグメントに１つのデータしか配信できない。そのため映像や音声をデジタルで送ることができるのは、システム内に１つに限られてしまう。
【００１２】
例えばホテル用、事務所用のエレベータにそれぞれ違った映像を流すには、別のＬＡＮシステムを構築しなければならなくなる。さらに、それぞれのＬＡＮシステムに対して管理用のパソコンが必要になってしまう。
【００１３】
そこでマルチキャスト配信をすることにより、複数の映像、音声をエンコードして例えば用途の異なる複数のエレベータの表示・音響装置に配信する際に、ＬＡＮなどの１つの通信網を構築するだけで対応することができる。
【課題を解決するための手段】
【００１４】
上記課題を解決するために本発明では、映像、音声をマルチキャスト配信データにし、エレベータの表示システムを１つのセグメントでＬＡＮを構築した。そして複数の映像、音声を複数のエンコーダでエンコードし、１つのＬＡＮに流すように構成した。
【００１５】
前記１つのＬＡＮ上にある用途別のエレベータの表示装置（デコード機能を備える）に、１つの管理用コンピュータからそれぞれに対して利用するエンコードデータを指定するように構成した。
【００１６】
これにより、用途別のエレベータを１つの管理用ＰＣで管理できるシステムを提供する。例えばダブルデッキエレベータの上かご用、下かご用に別のエンコードデータを指定するようにし、上下のかご内で、別の映像を流すシステムを提供する。
【００１７】
また、デコード機能を備えた表示装置に、スケジュールによりエンコードデータを時間指定できるようにする。管理用コンピュータからスケジュールデータを表示装置に送り、時間により表示する映像を自動的に切り換えるシステムを提供する。つまり１つのパソコンからエンコードデータを指定できるスケジュールを送信することにより、エンコーダの数と表示装置の数に影響されることのない、多目的な用途でも対応できるシンプルなシステムを提供する。
【００１８】
すなわち、エレベータのかご内に表示器を取り付け、映像情報、エレベータ情報を流すシステムにおいて、複数の映像と音声の情報をエンコードし、ブロードキャスト／マルチキャストによりローカルエリアネットワーク（ＬＡＮ）で配信する。
【００１９】
ＬＡＮに接続された表示コントローラは、ブロードキャスト方式で配信されている映像と音声をデコードし、エレベータの情報と合成して表示し、音声を流す。またマルチキャスト方式で配信されている映像と音声を選択し、エレベータの情報と合成して表示し、音声を流すというシステムを構成する。
【００２０】
本発明の構成の特徴は次のとおりである。すなわち、１つの通信網に接続され、映像および音声の情報をデジタルデータ化するエンコーダと、単数又は複数のエレベータ装置内に設けられた複数の表示・音響手段と、前記通信網に接続され、デコード機能を有し、ブロードキャスト方式で配信された前記映像および音声の情報を前記各表示・音響手段に表示し、音声出力させるコントローラと、前記通信網に接続され、前記エンコーダのデータの送信先を指定する管理用コンピュータとを備えたことを特徴としている。
【００２１】
また、１つの通信網に接続され、複数の映像および音声の情報をデジタルデータ化するエンコーダと、単数又は複数のエレベータ装置内に設けられた複数の表示・音響手段と、前記通信網に接続され、デコード機能を有し、マルチキャスト方式で配信された前記複数の映像および音声の情報のいずれかを選択して前記各表示・音響手段に表示し、音声出力させるコントローラと、前記通信網に接続され、前記エンコーダのデータの送信先を指定する管理用コンピュータとを備えたことを特徴としている。
【００２２】
また前記コントローラは、前記映像および音声の情報と、エレベータ情報とを合成して前記各表示・音響手段に表示し、音声出力させることを特徴としている。
【００２３】
また前記複数の表示・音響手段は、ダブルデッキエレベータの上かごおよび下かごに各々設けられていることを特徴としている。
【００２４】
また前記管理用コンピュータは前記エンコーダのデータのスケジュールデータを前記コントローラに送信し、前記コントローラは、前記スケジュールデータで指定された時間に沿って前記エンコーダの映像および音声の情報を前記各表示・音響手段に表示し、音声出力させることを特徴としている。
【発明の効果】
【００２５】
（１）請求項１〜５に記載の発明によれば、１つの通信網を介してマルチキャスト方式で配信された複数の映像および音声のデータをコントローラによって選択し、複数のエレベータの各表示・音響手段に表示し、音声出力させることができる。
【００２６】
このため複数の映像および音声のデータを配信するために複数の通信網を設ける必要は無く、簡単な情報配信システムを構築することができる。またアナログ配線設備は不要であるので、システム全体が小型化されるとともにコストが大幅に下げられる。
【００２７】
また、管理用コンピュータによって複数のエンコーダのデータの送信先を指定することができるので、例えば一般用、業務用等のように用途の異なる複数のエレベータ内に設置された各表示・音響手段を、１つの管理用コンピュータによって管理することができる。
【００２８】
このため前記一般用エレベータ内と業務用エレベータ内とで互いに異なる映像、音声を表示し、音声出力させることができる。
（２）またマルチキャスト方式のみならずブロードキャスト方式で配信された映像および音声の情報も、各エレベータの表示・音響手段に表示し音声出力させることができる。
（３）請求項３に記載の発明によれば、例えば背景画像やバックグラウンドミュージック等の映像および音声の情報とともに、例えばエレベータの走行方向、階床番号、次の停止階等の各種エレベータ情報を表示し、音声出力させることができる。
（４）請求項４に記載の発明によれば、ダブルデッキエレベータの上かご内と下かご内とで互いに異なる映像、音声を表示し、音声出力させることができる。
（５）請求項５に記載の発明によれば、スケジュールデータによって前記エンコーダのデータを時間指定することができるので、各表示・音響手段に表示され音声出力される映像および音声を自動的に切り換えることができる。
【００２９】
このためエンコーダの個数と表示・音響手段の個数に影響されることなく多目的な用途にも対応できるシンプルな情報配信システムを提供することができる。
【実施例】
【００３０】
以下図面を参照しながら本発明の一実施例を説明する。図１は本発明の一実施例の全体構成を表しており、１ａ，１ｂ，１ｃ，１ｄ…はビデオレコーダ、レーザディスクレコーダやＣＤプレーヤー、カセットプレーヤー等のＡＶ機器である。
【００３１】
２ａ，２ｂ，２ｃ，２ｄ…は前記ＡＶ機器１ａ，１ｂ，１ｃ，１ｄ…のアナログの映像、音声信号をデジタルデータ化するエンコーダである。エンコーダ２ａ，２ｂ，２ｃ，２ｄ…はスター型ＬＡＮのハブ（集線機能、中継機能を備えたノード）３ａに接続されている。
【００３２】
ハブ３ａはＬＡＮを構成するハブ３ｂ，３ｃ，３ｄ…に接続されている。ハブ３ｂには、ＬＡＮにより配信されたデジタルデータをアナログ化するデコーダ（図示省略）を備え、例えば複数のエレベータかごに設けられた表示器１１ａ，１１ｂ…およびスピーカ１２ａ，１２ｂ…を各々コントロールする表示コントローラ１３ａ，１３ｂ…が接続されている。
【００３３】
表示コントローラ１３ａ，１３ｂ…にはエレベータコントローラ１４から各種エレベータ情報が導入され、表示コントローラ１３ａ，１３ｂ…は前記ＬＡＮにより配信された映像、音声をデコードし、エレベータ情報と合成して前記表示器およびスピーカに流す（エレベータ情報と、映像、絵、バックグラウンドミュージック、音楽、エレベータのアナウンス等とをトータルに提供する）。
【００３４】
前記表示器１１ａ，１１ｂ…、スピーカ１２ａ，１２ｂ…、表示コントローラ１３ａ，１３ｂ…、エレベータコントローラ１４は、前記ハブ３ｃ，３ｄ…にも同様に、任意に接続される（図示省略）。
【００３５】
４は、前記ハブ３ａに接続され、通信に必要な制御を行うとともに、前記エンコーダ２ａ，２ｂ，２ｃ，２ｄ…のデータの送信先を指定したり、時間（スケジュール）によって表示する映像（音声も同様）を自動的に切り換えるためのスケジュールデータを前記表示コントローラ１３ａ，１３ｂ…に送信する等の機能を有したホストコンピュータ（本発明の管理用コンピュータ）である。
【００３６】
上記のように構成された装置において、ＡＶ機器１ａ，１ｂ，１ｃ，１ｄ…の情報をエンコーダ２ａ，２ｂ，２ｃ，２ｄ…によってエンコードし、ブロードキャスト／マルチキャストによりＬＡＮで配信を行うものであるが、ブロードキャスト通信ではすべての表示コントローラ１３ａ，１３ｂ…に１つの映像（音声も同様）を配信するが、マルチキャスト通信では複数の映像（音声も同様）をすべての表示コントローラ１３ａ，１３ｂ…に配信し、表示コントローラ１３ａ，１３ｂ…がどの映像を表示するか選択することができるという違いがある。
【００３７】
すなわち、例えばハブ３ｂに接続された表示コントローラ１３ａ，１３ｂにおいて、エンコーダ２ａ，２ｂ，２ｃ，２ｄ…からの映像、音声がブロードキャスト方式で配信されている場合は、それをデコードし、エレベータコントローラ１４からのエレベータ情報と合成して表示器１１ａ，１１ｂおよびスピーカ１２ａ，１２ｂに表示し、音声出力する。
【００３８】
またエンコーダ２ａ，２ｂ，２ｃ，２ｄ…からの映像、音声がマルチキャスト方式で配信されている場合は、それら映像と音声のいずれかを選択し、エレベータコントローラ１４からのエレベータ情報と合成して表示器１１ａ，１１ｂおよびスピーカ１２ａ，１２ｂに表示し、音声出力する。
【００３９】
前記両方式の一般的な特徴は次のとおりである。  
【００４０】
マルチキャスト…マルチメディアにおいて、予め決められた複数のノード（ネットワーク機器、接続ポイント）に対して、同時に送信すること。特別なアドレスを使うことにより、受信を望んでいるホストにのみ送信する。  
【００４１】
ブロードキャスト…マルチキャストと異なり、ネットワーク上のすべてのノードが送信対象となる。
【００４２】
前記エンコーダ２ａ，２ｂ，２ｃ，２ｄ…は、ＤＶＤなどで使われているような圧縮技術、例えばＭＰＥＧ２のプログラムストリーム（保存型）を用いている。本実施例では、ＭＰＥＧ２のトランスポートスリーム（流す）方式のデータをＬＡＮ技術の中のマルチキャスト方式で全てのＬＡＮに接続されている表示コントローラに配信している。
【００４３】
通常、ＬＡＮでのＰＣ−ＰＣ（パソコン）間のデータは、１対１である。マルチキャストを使わないと１対１のデータのやり取りになるため、表示コントローラの数（例えば１００台）にデータを１００台分流さなくてはならない。およそ１ストリーム６Ｍｂｐｓなので、６００Ｍｂｐｓのデータが流れるので、１００ＢＡＳＥ（伝送速度１００ＭｂｐｓのＬＡＮ方式）のＬＡＮの１０倍くらい必要になる。
【００４４】
マルチキャストの利点は、使用するＬＡＮの容量まで複数のストリーム（データ列）を流すことができることと、ＬＡＮのセグメントを越えてデータを流せることである。ブロードキャストで流す方式では、１つのストリームしか流せないことと、ＬＡＮのセグメントを越えられないことが欠点である。
【００４５】
前記ホストコンピュータ４は、エンコードデータの送信先を指定できるスケジュールデータをＬＡＮを介して表示コントローラ１３ａ，１３ｂ…に送信することができる。このため表示コントローラ１３ａ，１３ｂ…は、スケジュールデータで決められた時間に沿って、表示器１１ａ，１１ｂ…で表示する映像（音声についても同様）を自動的に切り換える。これによって、エンコーダ２ａ，２ｂ，２ｃ，２ｄ…の個数と表示器１１ａ，１１ｂ…、スピーカ１２ａ，１２ｂ…の個数に影響されない、多目的な用途に対応できるシンプルなシステムが構築され得る。
【００４６】
またダブルデッキエレベータの上かご内に表示器１１ａ、スピーカ１２ａを設置し、下かご内に表示器１１ｂ、スピーカ１２ｂを設置するように構成すれば、ホストコンピュータ４から各々のエンコードデータを指定し、上下のかご内で異なった映像、音声を流すことができる。
【００４７】
このように本実施例によれば、ＬＡＮ設備を増大させることなく、エレベータの乗客に、エレベータ情報と、映像、絵、バックグラウンドミュージック、音楽、エレベータのアナウンス等とをトータルに提供することができる。
【００４８】
しかもＡＶ機器１ａ，１ｂ，１ｃ，１ｄ…の映像、音声をエレベータ乗りかご内で表示し、音声出力させるためのアナログ配線設備は一切不要となるので、システム全体が小型化されるとともにコストが大幅に下げられる。
【００４９】
またアナログ信号で伝送を行わないので、映像、音声の劣化が無く、例えばケーブル補正器などの調整が不要となる。
【図面の簡単な説明】
【００５０】
【図１】本発明の一実施例を表すシステム構成図。
【符号の説明】
【００５１】
１ａ，１ｂ，１ｃ，１ｄ…ＡＶ機器
２ａ，２ｂ，２ｃ，２ｄ…エンコーダ
３ａ，３ｂ，３ｃ，３ｄ…ハブ
４…ホストコンピュータ
１１ａ，１１ｂ…表示器
１２ａ，１２ｂ…スピーカ
１３ａ，１３ｂ…表示コントローラ
１４…エレベータコントローラ
【図１】
2005119842.tif 000003